(57)【要約】【目的】電磁妨害波によるスイッチの誤動作を防止する。【構成】スイッチが導電性のパターン部で構成され、第１のコンデンサと第１の抵抗とで周波数データを生成する周波数変換部と、前記周波数変換部の周波数データを読みとる制御部と、読みとった周波数データを格納するメモリ部と、スイッチのＯＮ、ＯＦＦ状態を他の装置へ転送するためのシリアル通信部を有する静電容量方式スイッチであって、電磁妨害波が、静電容量方式スイッチの導電性スイッチパターン部に印加された場合、電磁妨害波の有無を判断し、誤動作を防止することを特徴とする静電容量方式スイッチの制御方法。【選択図】  図２
2006127313.tif 000002
【特許請求の範囲】
【請求項１】
ＣＰＵと、スイッチが導電性のパターン部で構成され、第１のコンデンサと第１の抵抗とで周波数データを生成する周波数変換部と、前記周波数変換部の周波数データを読みとる制御部と、読みとった周波数データを格納するメモリ部と、スイッチのＯＮ、ＯＦＦ状態を他の装置へ転送するためのシリアル通信部を有する静電容量方式スイッチであって、電磁妨害波が、静電容量方式スイッチの導電性スイッチパターン部に印加された場合、電磁妨害波の有無を判断し、誤動作を防止することを特徴とする静電容量方式スイッチの制御装置。
【請求項２】
前記、誤動作を防止する手段は、ＣＰＵと直結するように接続された第２のコンデンサを使用し、前記第１のコンデンサと第２のコンデンサの各々違う周波数データで交互に周波数データの状態を読み取り、電磁妨害波の有無を判断し、電磁妨害波による誤動作を防止することを特徴とする請求項１記載の静電容量方式スイッチの制御装置。
【発明の詳細な説明】
【技術分野】
【０００１】
本発明は、入力するスイッチが導電性のパターンで形成され、コンデンサＣ１と抵抗Ｒ１とで周波数データを生成する周波数変換部に接続され、導電性のパターで形成されたスイッチに対し、使用者の指が触る前の周波数を読み取る制御部で、前記周波数を読み取り、周波数データをメモリ部に格納し、指が触れたときの周波数データを読み取る制御部で、周波数データを読み取り、周波数データをメモリ部に格納する。使用者の指が触れる前と触れたときの周波数データの差の値によりスイッチのＯＮを判断する。スイッチに対し、指が離れたときの周波数データを読み取る制御部で、前記周波数データを読み取り、周波数データをメモリ部に格納し、指が触れたときと離れたときの周波数データの差によりスイッチのＯＦＦを判断するスイッチであって、スイッチの状態を、コンデンサＣ１の容量の変化を周波数データの変化に変換し、検出することでＯＮ／ＯＦＦを判断できる静電容量方式スイッチに関するものである。
【０００２】
本方式では容量変化を周波数データに変換しているため、無線周波数送信機等から放射される電磁妨害に対し、コンデンサＣ１と抵抗Ｒ１とで生成する周波数と同じ周波数が導電性のスイッチパターンに印加されると、導電性のスイッチパターンに指が触れていなくても、指が触れた以上の周波数データとして、読み取る制御部で誤って読み取られてしまい、使用者がスイッチに触れていなくても、スイッチが入ったと同じ状態になり誤動作してしまう。
【０００３】
本発明は、スイッチ状態の周波数データの読み取り回数を１回のみではなくＮ回にすること、およびコンデンサＣ１と抵抗Ｒ１とで周波数データを生成する周波数変換部に対し、コンデンサＣ２を追加し、コンデンサＣ１と抵抗Ｒ１とでの周波数値と、コンデンサＣ１と追加したコンデンサＣ２と抵抗Ｒ１とでの読み取る周波数データの値を変更することで、無線周波数送信機等から放射される電磁妨害波を判断し、避けることで誤動作をなくす静電容量方式スイッチに関するものである。
【背景技術】
【０００４】
【特許文献１】特開２００３−３１６６５７号公報。
【発明の開示】
【発明が解決しようとする課題】
【０００５】
従来の容量の変化を読み取る方式では、接続しているコンデンサＣ1の容量を、アナログ／デジタル変換し、電圧の変化でスイッチの状態を判断している。通常の動作では誤動作は無いが、無線周波数送信機等から放射される電磁妨害波の印加に対しては、電圧変化を検出しているためアナログ／デジタル変換方式では、周波数全域に対して影響が出てしまう。
【０００６】
また、従来の周波数変換による静電容量スイッチの読み取り方式では、通常の動作では誤動作は無いが、無線周波数送信機等から放射される電磁妨害波に対して、本静電容量スイッチが使用している同じ帯域の周波数が印加されると、使用者の指で触れた状態または印加された周波数による状態か判断がつかず誤動作し、入力の判断が安定しない。
アナログ／デジタル変換方式、周波数変換方式の２つの方式とも、無線周波数送信機等から放射される電磁妨害波に対しては、使用者が指でスイッチを触れた状態と同じになるため入力の判断が難しく、誤動作につながるのが現状である。
【課題を解決するための手段】
【０００７】
本発明は、前記に示した従来の問題点に鑑みなされたもので、静電容量方式スイッチにおいて、周波数の変化を２回の読み取りで１個のスイッチの状態を判断する（読み取った周波数の値と１回前の読み取った周波数の値）の差でスイッチのＯＮ／ＯＦＦを判断するのではなく、Ｎ回の読み取りで１個のスイッチの状態を判断する（読み取った周波数の値：Ｎ回目、１回前の読み取った周波数の値：（Ｎ−１）回目、２回前の読み取った周波数の値：（Ｎ−２）回目、・・・、Ｎ回前の読み取った周波数の値：１回目を読み取り各差が１個でもスイッチがＯＮ以上の周波数の値のときは、電磁妨害波とみなし読み取った周波数データを捨てる、Ｎ−１回ともＯＮ以上の周波数のときはスイッチをＯＮと判断しＯＮとすることでスイッチに指が触れた状態か電磁妨害波による状態かを判断する。また、
コンデンサＣ2を追加し、コンデンサＣ1のみのときの周波数、コンデンサＣ1とコンデンサＣ2の２つのコンデンサでの周波数、２種類の周波数を使用する。同じ電磁妨害波による影響が続いたとき、２種類の周波数を使用することで周波数を変え電磁妨害波の影響を避けることで誤動作を防止する。
【発明の効果】
【０００８】
本発明は静電容量方式スイッチで、パネルスイッチに接続されるコンデンサＣ1と抵抗Ｒ1で生成される周波数データに対し、コンデンサＣ2を追加して制御することで無線周波数送信機等から放射される電磁妨害波が周波数変換部に印加されたとき、電磁妨害波が印加されたことを判断して入力の誤動作を避けることができる。
【発明を実施するための最良の形態】
【０００９】
本発明で静電容量方式スイッチは、指で触れるための導電性パターンで形成されたスイッチ部、コンデンサＣ１と抵抗Ｒ１とで周波数データを生成する周波数変換部、変換された周波数データを読み取る制御部、変換された周波数値のデータを格納するメモリ部、スイッチの状態を他の装置（図示せず）へシリアル方式で転送することができるシリアル通信部を装備している。
【００１０】
本静電容量スイッチは、導電性パターンで形成されたスイッチ部の状態を、コンデンサＣ1および抵抗Ｒ1とで生成された周波数データを読みとりメモリに格納する。スイッチの状態に対し、Ｎ回の読み取りを行いＮ回分の周波数データをメモリに格納する。前記メモリに格納された周波数データにより、ＯＮ／ＯＦＦ／電磁妨害波を判断し、スイッチの状態をシリアル通信を通じシリアルデータを他装置へ送信する。また、本静電容量スイッチは、コンデンサＣ2が接続され、コンデンサＣ2を未使用（コンデンサＣ1のみ）、コンデンサＣ２を使用（コンデンサＣ1とコンデンサＣ2とが接続された状態）する制御部（以下、タイマとする）も装備している。コンデンサＣ１と抵抗Ｒ1で周波数データを生成、コンデンサＣ1、コンデンサＣ2と抵抗Ｒ1で周波数を生成することができ２種類の周波数を使用することができる。
【実施例１】
【００１１】
本発明の実施例を添付図面で説明する。本発明の静電容量方式スイッチを図１および図２の静電容量スイッチの構成図を用いて説明する。図１で本静電容量方式スイッチは、指を接触させるため導電性パターンで形成されたスイッチパネル部（以下パネルスイッチ５とする。）、コンデンサＣ１と抵抗Ｒ１とで周波数データを生成させるための周波数変換部（以下タイマ６とする。）、変換された周波数データの読み取り制御を行う制御部（以下インプットキャプチャ７とする。）、プログラム制御を行うＣＰＵ１、静電容量方式スイッチを制御するためのプログラムが格納されているメモリ（以下ＲＯＭ２とする。）、静電容量方式スイッチの制御プログラムを動作させるためのバッファおよび、インプットキャプチャ７で読み取られた周波数データを格納し、たえずデータを更新するができるメモリ（以下ＲＡＭ３とする。）、スイッチのＯＮ状態、ＯＦＦ状態の制御の設定値を格納でき、電源を切っても格納したデータが消えないメモリ（以下ＥＥＰＲＯＭ４とする。）、図示しない接続された機器へ、スイッチパネルの入力状態（スイッチのＯＮ状態、ＯＦＦ状態）のデータを送受信するためのシリアル通信（以下ＳＩＯ８とする。）、静電容量方式スイッチが動作させるため外部から供給される電源（以下電源部９）より構成されている。また、パネルスイッチに触る指を結合容量（以下コンデンサＣ３、１０とする。）とする。図２ではタイマ６に対して、コンデンサＣ１と抵抗Ｒ１とが接続している部分に、コンデンサＣ２を追加した構成になっている。コンデンサＣ２は、コンデンサＣ１とＣＰＵ１のポートに接続している。
【００１２】
次に静電容量方式スイッチで使用するインプットキャプチャ７の制御方法を説明する。インプットキャプチャ７は内部で予め固定された周波数データを発生し、タイマ６で生成された周波数データをインプットキャプチャ７内の前記した固定の周波数データでサンプリングする機能を有している。図１および図２のタイマ６で生成された周波数データが各々ｍｋＨｚ／ｎｋＨｚとし、インプットキャプチャ７の固定の周波数データがｓｋＨｚの場合、インプットキャプチャ７よりタイマ６として各々ｍ／ｓ個の周波数データ、ｎ／ｓ個の周波数データとしてＣＰＵ１は読み取ることができる。電源部９に外部から電源が供給された後、ＣＰＵ１はインプットキャプチャ７の周波数データを読み取る。パネルスイッチ５に指が触れていないとき、インプットキャプチャ７にはコンデンサＣ１と抵抗Ｒ１とでタイマ６により周波数データが生成される。周波数値ｆはｆ＝１．４４／（Ｃ１＊Ｒ１）で求められる。
【００１３】
パネルスイッチ５に指が触れたとき、指の容量分であるコンデンサＣ３が周波数値ｆに加算され、周波数ｆはｆ＝１．４４／（（Ｃ１＋Ｃ３）＊Ｒ１）となり周波数は遅くなる。インプットキャプチャ７で読まれる周波数データ値としては、パネルスイッチ５に指１０が触れた場合、周波数が遅くなるため、インプットキャプチャ７内でサンプリングする数はパネルスイッチ５に指が触れていないときに比べ多くなる。ここで、スイッチＯＮの定義として、（パネルスイッチ５に触れたときのインプットキャプチャ７の値）−（パネルスイッチ５に触れていないときのインプットキャプチャ７の値）の差分がＯＮの値とする。また指がパネルスイッチ５に触れた後、パネルスイッチ５を離した値も同じである。このスイッチＯＮ／ＯＦＦの定義値、パネルスイッチ５に指１０が触れていないときのインプットキャプチャ７の値、パネルスイッチ５に指１０が触れたときのインプットキャプチャ７の値は、初期値としてＥＥＰＲＯＭ４に予め格納しておく。図３は予め格納してあるＥＥＰＲＯＭ４の内容を記載したものである。無線周波数送信機等から放射される電磁妨害波が、本静電容量方式スイッチで使用している周波数ｆ＝１．４４／（Ｃ１＊Ｒ１）に近い周波数（指で触る容量と同じコンデンサＣ３、１０）がパネルスイッチ５に印加されるとＯＮ／ＯＦＦの定義以上の周波数データがインプットキャプチャ７で読み取れる。本静電容量方式スイッチで使用している周波数以外の周波数をパネルスイッチ５に印加しても、周波数はｆ＝１．４４／（Ｃ１＊Ｒ１）のままでスイッチのＯＮ／ＯＦＦ動作には影響されない。
【００１４】
次に電磁妨害波による誤動作防止の制御方法を説明する。電源部９に外部から電源が供給された後、パネルスイッチ５に接続されているコンデンサＣ１と抵抗Ｒ１の値を基にタイマ６で生成された周波数ｆ＝１．４４／（Ｃ１＊Ｒ１）を、インプットキャプチャ７を介しＣＰＵ１が読み取る。読み取られた周波数データはＲＡＭ３に格納される。次に同じパネルスイッチ５で同じことを、コンデンサＣ1と抵抗Ｒ1とでタイマ６で生成された周波数ｆ＝１．４４／（Ｃ１＊Ｒ１）を、インプットキャプチャ７を介しＣＰＵ１が読み取る。読み取られた周波数データは同じＲＡＭ３で前回格納したＲＡＭ３の次の番地に格納する。同じパネルスイッチ５に対し、Ｎ回インプットキャプチャ７を介し、周波数データを読み取り、Ｎ回分の周波数データをＲＡＭ３に格納する。次に読み取ったＮ個分の周波数データに対し、１回目の周波数データと２回目の周波数データの差をＲＡＭ３の違う領域に格納する。次に２回目の周波数データと３回目の周波数データの差をＲＡＭ３に格納する。ＲＡＭ３に格納された周波数データに対し、（Ｎ−１）回分同じことを行なう。
【００１５】
最後は（Ｎ−１）回目の周波数データとＮ回目の周波数データの差をＲＡＭ３に格納する。読み取られたＮ個の周波数データと（Ｎ−１）個の各々の差の周波数データは図４のＲＡＭ３領域に格納される。次に（Ｎ−１）個の周波数データの差を使用して、無線周波数送信機等から放射される電磁妨害波の影響があるか判断する。（Ｎ−１）個の差のデータと、予めＥＥＰＲＯＭ４に格納されたＯＮ／ＯＦＦ定義の値を比べる。（Ｎ−１）個の各々の差のデータの中に１個でもＯＮ／ＯＦＦ定義を超える値が存在した場合は、Ｎ回の読み取りで電磁妨害波による影響があったと判断し、電磁妨害波印加とするコマンドをＳＩＯ８を通じ図示しない接続された機器へ送信する。次に読み取られＲＡＭ３に格納した周波数データ、各々の周波数データの差を消去（ＦＦＨのデータをＲＡＭ３に書き込む。）する。（Ｎ−１）個の各々の差のデータの中に１個もＯＮ／ＯＦＦ定義を超える値が存在しない場合は、パネルスイッチ５に指が触れていないと判断し、スイッチがＯＦＦとするコマンドをＳＩＯ８を通じ図示しない接続された機器へ送信する。コマンドを送信後、ＲＡＭ３に格納し読み取られた周波数データ、各々の周波数データの差を消去（ＦＦＨのデータをＲＡＭ３に書き込む。）する。
【００１６】
（Ｎ−１）個の各々の差のデータが全てＯＮ／ＯＦＦ定義を超える値が存在した場合は、パネルスイッチ５に指が触れていると判断し、スイッチがＯＮとするコマンドを、ＳＩＯ８を通じ図示しない接続された機器へ送信する。コマンドを送信後、ＲＡＭ３に格納し読み取られた周波数データ、各々の周波数データの差を消去（ＦＦＨのデータをＲＡＭ３に書き込む。）する。この制御により単発な電磁妨害波がパネルスイッチ５に印加された場合に対して誤動作を防止することができる。しかし、本静電容量方式スイッチでは１個のパネルスイッチ５に対しＮ回の周波数をタイマ６およびインプットキャプチャ７で読み取り、読み取られた周波数データで電磁妨害波の影響を判断しているが、連続した電磁妨害波が印加されたときはパネルスイッチ５の状態をＳＩＯ８を通じ図示しない接続された機器へ電磁妨害印加とするコマンドのみが送信されてしまう。
【００１７】
次に連続した電磁妨害波が印加されたときでも、スイッチの状態がＯＮかＯＦＦをＳＩＯ８を通じ、図示しない接続された機器へコマンドを送信することができる制御方法を説明する。電源部９に外部から電源が供給された後、パネルスイッチ５に接続されているコンデンサＣ１と抵抗Ｒ１とでタイマ６で生成された周波数ｆ＝１．４４／（Ｃ１＊Ｒ１）をインプットキャプチャ７を介しＣＰＵ１が読み取り、読み取られた周波数はＲＡＭ３に格納する。前記した１個のパネルスイッチ５に対し、Ｎ回の周波数読み取りで１個以上ＯＮ定義の周波数が存在した場合は、パネルスイッチ５に電磁妨害波が印加されたと判断し、
【００１８】
パネルスイッチ５の状態をＳＩＯ８を通じ、図示しない接続された機器へ送信はしない。パネルスイッチ５に電磁妨害波が印加されたと判断した場合、ＲＡＭ３に格納し読み取られた周波数データ、各々の周波数データの差を消去（ＦＦＨのデータをＲＡＭ３に書き込む。）する。図２の構成図でコンデンサＣ２はコンデンサＣ１とＣＰＵ１に接続されている。コンデンサＣ２とＣＰＵ１とは、ＣＰＵ１のポートに接続され、ポートの設定で設定：０で未接続、設定：１でＧＮＤに接続することができる。次に図２の構成図でコンデンサＣ２に接続されているＣＰＵ１のポートを設定：１にし、コンデンサＣ２をＧＮＤに接続させる。ここでパネルスイッチ５に接続されているコンデンサＣ１とコンデンサＣ２と抵抗Ｒ１とでタイマ６で生成された周波数ｆ＝１．４４／（（Ｃ１＋Ｃ２）＊Ｒ１）を、インプットキャプチャ７を介し、ＣＰＵ１が周波数データを読み取る。読み取られた周波数データはＲＡＭ３に格納される。次に同じパネルスイッチ５で同じことを行う。コンデンサＣ１とコンデンサＣ２と抵抗Ｒ１とでタイマ６で生成された周波数ｆ＝１．４４／（（Ｃ１＋Ｃ２）＊Ｒ１）を、インプットキャプチャ７を介しＣＰＵ１が読み取る。読み取られた周波数データは同じＲＡＭ３で前回格納した次の番地に格納する。読み取られた２つのＲＡＭ３領域に格納された周波数データの差を別のＲＡＭ３領域に格納する。周波数データの差が予めＥＥＰＲＯＭ４に格納されたＯＮ／ＯＦＦ定義の値と比べる。
【００１９】
差がＯＮ／ＯＦＦ定義を超える値が存在しない場合は、パネルスイッチ５に指が触れていないと判断し、スイッチがＯＦＦとするコマンドをＳＩＯ８を通じ、図示しない接続された機器へ送信する。コマンドを送信後、ＲＡＭ３に格納し読み取られた周波数データ、周波数データの差を消去（ＦＦＨのデータをＲＡＭ３に書き込む。）する。連続した電磁妨害波が印加されたときはコンデンサＣ２を追加することで、印加された電磁妨害波を避けることができる。差がＯＮ／ＯＦＦ定義を超える値が存在した場合は、電磁妨害波が周波数ｆ＝１．４４／（（Ｃ１＋Ｃ２）＊Ｒ１）に近い周波数に変わり印加されているとし、ＲＡＭ３に格納し読み取られた周波数データ、周波数データの差を消去（ＦＦＨのデータをＲＡＭ３に書き込む。）する。次に図２で、コンデンサＣ２に接続されているＣＰＵ１のポートを設定：０で未接続にし、読み取り周波数を周波数ｆ＝１．４４／（Ｃ１＊Ｒ１）に戻して同じ処理を行う。
【００２０】
次に本発明である電磁妨害波による誤動作防止の方法で、もうひとつの制御方法を説明する。図５は、本制御で使用するＲＡＭ３の領域の内容である。図２でコンデンサＣ２はコンデンサＣ１とＣＰＵ１に接続されている。コンデンサＣ２とＣＰＵ１とは、ＣＰＵ１のポートに接続され、ポートの設定で設定：０で未接続、設定：１でＧＮＤに接続することができる。またスイッチのＯＮ／ＯＦＦの定義としての定義値は、初期値としてＥＥＰＲＯＭ４に予め格納しておく。電源部９に外部から電源が供給された後、コンデンサＣ２の接続の設定は設定：０にし、パネルスイッチ５の接続としてはコンデンサＣ１と抵抗Ｒ１である。パネルスイッチ５に接続されているコンデンサＣ１と抵抗Ｒ１とでタイマ６で生成された周波数ｆ＝１．４４／（Ｃ１＊Ｒ１）をインプットキャプチャ７を介しＣＰＵ１が読み取り、読み取られた周波数データはＲＡＭ３に格納する。
【００２１】
次にコンデンサＣ２の接続設定：１にし、接続としてはコンデンサＣ１とコンデンサＣ２と抵抗Ｒ１である。パネルスイッチ５に接続されているコンデンサＣ１とコンデンサＣ２と抵抗Ｒ１とでタイマ６で生成された周波数ｆ＝１．４４／（（Ｃ１＋Ｃ２）＊Ｒ１）をインプットキャプチャ７を介しＣＰＵ１が読み取り、読み取られた周波数データは別のＲＡＭ３領域に格納する。次にコンデンサＣ２の接続の設定は設定：０にし、パネルスイッチ５の接続としてはコンデンサＣ１と抵抗Ｒ１である。パネルスイッチ５に接続されているコンデンサＣ１と抵抗Ｒ１とでタイマ６で生成された周波数ｆ＝１．４４／（Ｃ１＊Ｒ１）をインプットキャプチャ７を介しＣＰＵ１が読み取り、読み取られた周波数データを前回のコンデンサＣ１と抵抗Ｒ１で格納したＲＡＭ３の次の領域に格納する。次にコンデンサＣ２の接続の設定は設定：１にし、パネルスイッチ５の接続としては、コンデンサＣ１とコンデンサＣ２と抵抗Ｒ１である。パネルスイッチ５に接続されているコンデンサＣ１とコンデンサＣ２と抵抗Ｒ１とでタイマ６で生成された周波数ｆ＝１．４４／（（Ｃ１＋Ｃ２）＊Ｒ１）をインプットキャプチャ７を介し、ＣＰＵ１が読み取り、読み取られた周波数データを、前回のコンデンサＣ１とコンデンサＣ２と抵抗Ｒ１で格納したＲＡＭ３の次の領域に格納する。
【００２２】
次にＲＡＭ３に格納されているコンデンサＣ２の接続の設定が設定：０のときの２つの周波数データの差を次のＲＡＭ３領域に格納する。ＲＡＭ３に格納されているコンデンサＣ２の接続の設定が設定：１のときの２つの周波数データの差を次ぎのＲＡＭ３領域に格納する。次にＲＡＭ３に格納された２つの差の周波数データと予めＥＥＰＲＯＭ４に格納されたＯＮ／ＯＦＦ定義値と比べ、２つとも定義値以下であれば、パネルスイッチ５の状態として指が触れていないと判断しＯＦＦとするコマンドＳＩＯ８を通じ、図示しない接続された機器へ送信する。
【００２３】
コマンドを送信後、ＲＡＭ３に格納し、読み取られた周波数データ、周波数データの差を消去（ＦＦＨのデータをＲＡＭ３に書き込む。）する。ＲＡＭ３に格納された２つの差の周波数データと予めＥＥＰＲＯＭ４に格納されたＯＮ／ＯＦＦ定義値と比べ、２つとも定義値以上であれば、パネルスイッチ５の状態として指が触わられていると判断し、ＯＮとするコマンドをＳＩＯ８を通じ、図示しない接続された機器へ送信する。コマンドを送信後、ＲＡＭ３に格納し、読みとられた周波数データ、周波数データの差を消去（ＦＦＨのデータをＲＡＭ３に書き込む。）する。ＲＡＭ３に格納された２つの差の周波数データと予めＥＥＰＲＯＭ４に格納されたＯＮ／ＯＦＦ定義値と比べ、どちらか１つ定義値以上であれば、パネルスイッチ５の状態として電磁妨害波が印加されたと判断し、電磁妨害波印加とするコマンドをＳＩＯ８を通じ、図示しない接続された機器へ送信する。コマンドを送信後、ＲＡＭ３に格納し、読み取られた周波数データ、周波数データの差を消去（ＦＦＨのデータをＲＡＭ３に書き込む）する。２つの違った周波数および各々２回のインプットキャプチャ７での周波数データの読み取りで電磁妨害波の印加状態がわかる。
【図面の簡単な説明】
【００２４】
【図１】静電容量方式スイッチの構成図。
【図２】静電容量方式スイッチの構成図。
【図３】ＥＥＰＲＯＭの内容図。
【図４】周波数格納ＲＡＭの内容図。
【図５】周波数格納ＲＡＭの内容図。
【符号の説明】
【００２５】
１    ＣＰＵ
２    ＲＯＭ
３    ＲＡＭ
４    ＥＥＰＲＯＭ
５    パネルスイッチ
６    タイマ
７    インプットキャプチャ
８    ＳＩＯ
９    電源部
１０  指
【図１】
2006127313.tif 000003
【図２】
2006127313.tif 000004
【図３】
2006127313.tif 000005
【図４】
2006127313.tif 000006
【図５】
2006127313.tif 000007